(57)【要約】      （修正有）【課題】四隅止機用の熱密封材料の帯体を巻き出すための巻出しユニットを提供する。【解決手段】四隅止機用の熱密封材料の帯体を巻き出すための巻出しユニット４００は、四隅止機取り付けられるように適合されたケーシング４０１と、ケーシング４０１に動作可能に関連していて且つ供給路に沿って且つ供給方向においてケーシング４０１に対して帯体を引っ張るように構成された、プラー４０２と、を具備する。方向転換機４０７は、供給路の最初の好適には水平な伸張部と供給路の最後の実質的に垂直な伸張部との間において帯体を方向転換させて、最初の伸張部と最後の伸張部との間において湾曲した接続伸張部を画定するように構成される。ケーシング４０１に動作可能に関連する変形機４１３は、帯体の供給方向において、湾曲した伸張部から開始して又は湾曲した伸張部の下流で帯体自体に沿って延びる、伸張した折り目線を帯体上に作るように構成される。【選択図】図２
2017140831.tif 000002
【特許請求の範囲】
【請求項１】
紙又は厚紙の空白紙（２００）から箱（１００）を形成するための四隅止機（１）用の、熱密封材料の帯体（Ｓ）を巻き出すための巻出しユニット（４００）であって、各空白紙が基部（２０２）と、前記基部（２０２）に接続する、複数の構成部分（２０４）と、を有する、前記巻出しユニット（４００）は、
四隅止機（１）に取り付けられるように適合されたケーシング（４０１）と、
前記供給路（Ｐ）に沿って且つ供給方向（Ｖ）において、前記ケーシング（４０１）に対して前記帯体（Ｓ）を引っ張るように構成されていて且つ前記ケーシング（４０１）に動作可能に関連する、引張り手段（４０２）と、
前記供給路の最初の好適には水平な伸張部（Ｐ１）と前記供給路の最後の実質的に垂直な伸張部（Ｐ２）との間において前記帯体（Ｓ）を方向転換させて、前記最初の伸張部と前記最後の伸張部との間において湾曲した接続伸張部（Ｐ３）を画定するように構成される、方向転換手段（４０７）と、を具備する、巻出しユニットにおいて、
前記巻出しユニットは、前記ケーシング（４０１）に動作可能に関連する変形手段（４１３）であって、前記帯体（Ｓ）の前記供給方向（Ｖ）において、前記湾曲した伸張部（Ｐ３）から開始して又は前記湾曲した伸張部（Ｐ３）の下流で前記帯体（Ｓ）自体に沿って延びる、伸張した折り目線（４１４）を前記帯体（Ｓ）上に作るように構成された、変形手段（４１３）を具備することを特徴とする巻出しユニット。
【請求項２】
前記引張り手段（４０２）は、それらの少なくとも１つがモータ手段（４０５）と動作可能に関連する、一対の逆回転ローラ（４０３、４０４）を具備しており、
前記一対の逆回転ローラ（４０３、４０４）は、前記供給路に対して横のそれらの回転軸線により、及び前記帯体（Ｓ）の前記主対向面に引っ張り作用を適用するような方法で前記供給路の対向する側においてそれぞれ、取り付けられており、更に、
前記変形手段（４１３）は、前記一対の逆回転ローラ（４０３、４０４）を具備する、ことを特徴とする請求項１に記載の巻出しユニット（４００）。
【請求項３】
前記一対の逆回転ローラの内のローラ（４０３）は、前記ローラ自体と同軸である、環状突起を有しており、更に前記一対の逆回転ローラの内のもう一方のローラ（４０４）は、前記ローラ自体と同軸である、環状溝（４１６）を有しており、前記環状突起（４１５）及び前記環状溝（４１６）は、前記供給路において互いに相互貫通する一方で、前記帯体（Ｓ）上に前記折り目線（４１４）を生成するために、前記帯体（Ｓ）は供給される、ことを特徴とする請求項２に記載の巻出しユニット（４００）。
【請求項４】
前記一対の逆回転ローラ（４０３、４０４）は、前記供給路の前記湾曲した伸張部（Ｐ３）において、好適には前記最初の伸張部（Ｐ１）と前記湾曲した伸張部（Ｐ３）との間の通過区域に設置される、ことを特徴とする請求項２又は３に記載の巻出しユニット（４００）。
【請求項５】
前記一対の逆回転ローラの内の一方のローラ（４０３）は、２つの腕部（４１８）を具備する、フォーク（４１７）上で回転するように取り付けられており、前記２つの腕部（４１８）は、前記帯体（Ｓ）の前記供給路に対して前記ケーシング（４０１）自体の対向する側において前記巻出しユニットの前記ケーシング（４０１）にヒンジ止めされる、ことを特徴とする請求項２〜４のいずれか一項に記載の巻出しユニット（４００）。
【請求項６】
前記フォーク（４１７）は、それが前記ケーシング（４０１）に対して軸方向の遊びを有するように取り付けられており、及び／又は
前記フォーク（４１７）は、それに取り付けられた、前記ローラ（４０３）の軸方向の位置を調整するための手段（４１９）を具備する、ことを特徴とする請求項５に記載の巻出しユニット（４００）。
【請求項７】
前記一対の逆回転ローラのもう一方のローラ（４０４）、好適には動力駆動ローラ（４０４）は、前記ケーシング（４０１）上で回転するように取り付けられているので、従ってもう一方のローラ（４０４）は、前記フォーク（４１７）に取り付けられた前記ローラ（４０３）の位置に適合させるために、前記ケーシング（４０１）に対して軸方向の遊びを有する、ことを特徴とする請求項６に記載の巻出しユニット（４００）。
【請求項８】
前記逆回転ローラが前記帯体（Ｓ）に接触した状態に保持する、推力を適用するために、前記逆回転ローラ（４０３、４０４）の少なくとも１つに動作可能に関連付けられた弾性手段（４２３）を具備する、ことを特徴とする請求項２〜７のいずれか一項に記載の巻出しユニット（４００）。
【請求項９】
前記供給路の前記最後の伸張部（Ｐ２）の少なくとも一部分に沿って前記前記帯体（Ｓ）を案内し且つ前記箱（１００）の前記角縁部（１０２）に垂直に面するように前記帯体（Ｓ）の一部分を配置するように構成された、送り出し案内手段（４２４）を具備しており、
前記送り出し案内手段（４２４）は、前記ケーシング（４０１）の一部分（４２５）と、ブロックと、を具備しており、前記ブロックは、前記供給路の前記最後の伸張部（Ｐ２）に沿って延びる、前記帯体（Ｓ）のための貫通隙間（４２７）をそれらの間に画定するような方法で前記ケーシング（４０１）に固定される、ことを特徴とする請求項１〜８のいずれか一項に記載の巻出しユニット（４００）。
【請求項１０】
前記貫通隙間（４２７）と前記ケーシング（４０１）の前記一部分（４２５）及び前記ブロック（４２６）は、前記帯体（Ｓ）の幅に対して少なくともそれの中間の伸張部においてＶ字の形状を画定するように構成される、ことを特徴とする請求項９に記載の巻出しユニット（４００）。
【請求項１１】
前記帯体（Ｓ）を前記供給路の前記最初の伸張部（Ｐ１）の少なくとも一部分に沿って案内するように構成された、送り込み案内手段（４２８）を具備しており、更に
少なくとも１つの長穴（４３３）を有することが好ましい、カバー板（４３１）と、２つの側部格納壁（４３０）と、平坦な摺動面（４２９）と、を具備しており、それらは、前記供給路の前記最初の伸張部（Ｐ１）に沿って延びる、前記帯体（Ｓ）のための貫通隙間（４３２）を画定するような方法で配置される、ことを特徴とする請求項１〜１０のいずれか一項に記載の巻出しユニット（４００）。
【請求項１２】
前記一対の逆回転ローラの一方のローラ（４０３）は、前記ケーシングに接続された、ホルダに回転可能に取り付けられており、第１の位置から第２の位置に軸方向に移動可能であり、前記ローラの回転軸線に沿って軸方向に変位する、ことを特徴とする請求項２に記載の巻出しユニット（４００）。
【請求項１３】
前記一対の逆回転ローラの内の一方のローラ（４０３）は、前記ケーシングに接続された、ホルダに回転可能に取り付けられており、
前記ホルダは、それが前記ケーシング（４０１）に対して軸方向の遊びを有するように取り付けられる、ことを特徴とする請求項２又は１２に記載の巻出しユニット（４００）。
【請求項１４】
基部（２０２）と、前記基部（２０２）に接続された複数の構成部分（２０４）と、を有する紙又は厚紙空白紙（２００）から箱を形成するための四隅止機（１）であって、この四隅止機（１）は、
前記空白紙（２００）の前記構成部分（２０４）を折り畳むように且つ前記箱（１００）の垂直な角縁部（１０２）を画定するようにそれら（構成部分（２０４））の横縁部を並置した状態でそれらを直立して設定するように構成された、折り畳みアセンブリ（１２）と、
所定の長さの前記帯体（Ｓ）の部品（３００）を前記垂直な角縁部（１０２）に面するように垂直に配置するための、請求項１〜１３のいずれか一項に記載の複数の巻き出しユニット（４００）と、
前記部品（３００）を前記それぞれの角縁部（１０２）に対して押圧するように前記箱に向かって及びそれから離れて移動可能であって且つ加熱可能である、対応するプレッサ備える、複数の密封頭部であって、更に前記帯体（Ｓ）を切断するように前記プレッサと共に一体で可動である、対応する刃を備えることが好ましい、複数の密封頭部と、を具備することを特徴とする四隅止機（１）。
【請求項１５】
角縁部（１０２）を画定するように並置された箱成形空白紙（２００）の側部構成部分（２０２）の縁部を密封するのに適した熱密封材料の帯体（Ｓ）の巻出し方法であって、
前記帯体（Ｓ）を供給路（Ｐ）に沿って且つ供給方向（Ｖ）において引っ張り、それを前記供給路の最初の好適には水平な伸張部（Ｐ１）と、前記供給路の最後の好適には垂直な伸張部（Ｐ２）と、の間において方向転換させ、前記最初の伸長部と前記最後の伸張部との間の湾曲した接続伸長部（Ｐ３）を画定する、手順を具備する方法において、
この方法は、前記帯体（Ｓ）の前記供給方向において、前記湾曲した伸張部（Ｐ３）から開始して又は前記湾曲した伸張部（Ｐ３）の下流で前記帯体（Ｓ）自体に沿って延びる、伸張した折り目線（４１４）を、前記帯体（Ｓ）上に製作する手順を具備する、ことを特徴とする巻出し方法。
【請求項１６】
前記折り目線（４１４）は、前記帯体（Ｓ）を供給する、システムの動作と同時に及び前記システム自体により製作される、ことを特徴とする請求項１５に記載の巻出し方法。
【請求項１７】
前記帯体（Ｓ）を前記折り目線（４１４）の頂点を有するＶ字形状に折り曲げて、それが前記供給路を離れる際に前記帯体（Ｓ）を案内する手順を具備する、ことを特徴とする請求項１５又は１６に記載の巻出し方法。
【請求項１８】
前記帯体（Ｓ）の幅に対して前記折り目線（４１４）の位置を調整する手順を具備する、ことを特徴とする請求項１５〜１７のいずれか一項に記載の巻出し方法。
【請求項１９】
前記帯体（Ｓ）を前記供給路内に案内する手順を具備する、ことを特徴とする請求項１５〜１８のいずれか一項に記載の巻出し方法。
【請求項２０】
平坦な成形空白紙（２００）から厚紙箱（１００）を形成する方法であって、基部（２０２）と、隣接する構成部分（２０４）の縁部が前記厚紙箱（１００）の側壁（１０４）の垂直な角縁部（１０２）を画定するような方法で前記基部（２０２）に対して折り畳み可能である、複数の構成部分（２０４）と、を具備する方法において、
前記角縁部（１０２）の各々に面するように、所定長さの前記帯体（Ｓ）の一部分を垂直に配置するための、請求項１５〜１７のいずれか一項に記載の方法を実施する手順と、
前記帯体（Ｓ）の各部分を対応する前記角縁部（１０２）に対して加熱及び加圧して、それを前記角縁部（１０２）自体に対して熱密封して、更にそれにより前記角縁部（１０２）自体を閉じる手順と、を具備することを特徴とする方法。
【発明の詳細な説明】
【技術分野】
【０００１】
本発明は、空白紙（ブランク）から箱を形成するための熱密封材料の帯体を巻き出すための巻出しユニット（装置）及び方法に関する。
【０００２】
本開示はまた、紙（「紙」との表現により、それは特には、「板紙」を意味する）又は厚紙で作られた、空白紙から箱を形成するためであって且つ基部と基部に接続された複数の構成部分とを有する、四隅止機（ｑｕａｄｒａｎｇｕｌａｒ  ｍａｃｈｉｎｅ）に関しており、更に平坦な空白紙から厚紙箱を形成するための方法に関する。
【０００３】
本発明は、繊細に仕上げられた高級箱、特には「鋭利な縁部」の箱として知られる厚紙箱を形成するための工業的処理の技術分野に関する。
【背景技術】
【０００４】
問題の箱は、成形空白紙として知られる、特殊形状シート（薄板）の紙又は厚紙から作成される。
【０００５】
より具体的には、平坦な空白紙は、基部と、基部に接続されていて且つ基部に対して折り畳まれて箱の側壁を形成するように設計された、複数の面又は構成部分と、により構成される。
【０００６】
完成された箱をもたらす工業的方法は、箱を形成する段階（成形空白紙から開始する）と、その後の箱に被覆（又はカバー）シートを適用することにより箱を覆う段階と、の２つの別個の段階を具備する。
【０００７】
本発明は、箱を形成する段階の文脈内に含まれる。
【０００８】
一般的に「四隅止機」として知られていて且つ上述の箱形成段階を実行する、従来技術の機械は、箱の内面に結合されるように設計された、型を備える。これらの機械は、箱に所望の形状を与えるために、成形空白紙の自由な構成部分を並置することにより成形空白紙を折り畳むような方法で、型と協働するように構成された、折り畳み手段を具備する。
【０００９】
これらの機械はまた、箱に対して移動可能であって且つ構成部分を安定して一緒に保持するために自由な隣接した構成部分により画定された、開放端部に熱密封材料の帯体を適用するように構成された、複数の熱密封頭部を備える。
【００１０】
この様にして作られた箱は、熱密封帯体が適用される区域において、美しくない窪みを有する。一般的に言えば、高級箱において、これは容認できない表面欠陥を構成する。
【００１１】
実際に、明らかに必要とされることは、明らかな表面欠陥を生じさせることなく、熱密封帯体を箱に適用できることである。
【００１２】
これに関連して、窪みを形成されることを防止する試みにおいて、厚さの薄い密封性帯体が、従来技術の機械において暫定的に使用されてきた。
【００１３】
しかし、これを行うことに伴う困難の１つは、帯体を箱の角端部に沿って正しく適用することである。実際には、薄い厚さのために、熱密封帯体は、熱密封帯体が供給されている間に曲がり及び／又は揺動する傾向があり、更に従って、熱密封手段により熱密封する間に箱の角端部に対して不正確に配置されることが判明した。
【００１４】
この問題を克服するために、本発明の出願人は、ある特許文献に記載されるように、その供給路の最初の伸張部において帯体を変形させることを提案した（例えば、特許文献１参照。）。しかし、この様に帯体を変形させることは、供給システムに悪影響を及ぼして、更に帯体を変形させるという考案によりもたらされる利点を相殺することが判明した。
【００１５】
この問題を克服する別の試みにおいて、例えば、本発明の出願人の名義のある特許文献において記載されるように、形成された箱が帯体に対して並進移動可能であり、それにより熱密封作業を２つの手順に分割するような方法で、機械は修正された（例えば、特許文献２参照。）。しかし、このタイプの機械は、複雑なものであり、特に異なる箱寸法に切り替える際には調整が困難である。
【先行技術文献】
【特許文献】
【００１６】
【特許文献１】イタリア国特許出願第ＢＯ２０１１Ａ０００２６５号
【特許文献２】国際公開第２０１４／１７７９４７号公報
【発明の概要】
【発明が解決しようとする課題】
【００１７】
本発明は、上記の問題を克服することを目的とする。
【００１８】
本開示は、特には薄い熱密封帯体を適用することにより、及び構造的及び／又は操作上の複雑さを導入することなく、美的品質の高い高級箱を製造することを可能にする、巻出しユニット及び巻出し方法を提供することを目的とする。
【００１９】
この開示の別の目的は、上述の欠点を克服可能にしており、更に特には、望ましくない変形のない特に薄い熱密封帯体の容易な適用を可能にする、四隅止機及び成形方法を提供することである。
【課題を解決するための手段】
【００２０】
これらの目的は、添付の特許請求の範囲において特徴付けられるような本開示の巻出しユニット及び巻出し方法により完全に達成される。
【００２１】
第１の形態によれば、目的は、四隅止機に取り付けられるように適合されたケーシングと、供給路に沿って且つ供給方向において熱密封材料の帯体を引っ張るように構成された、引張り手段と、を具備する巻出しユニットにより達成される。方向転換手段は、供給路の、最初の好適には水平な伸張部と、最後の実質的に垂直な伸張部との間において帯体を方向転換させるように構成される。最初の伸張部と最後の伸張部との間において、湾曲した接続伸張部が存在する。
【００２２】
帯体の供給方向において、ケーシングに動作可能に関連する変形手段であって、湾曲した伸張部から開始して又は湾曲した伸張部の下流で帯体自体に沿って延びる、伸張した折り目線を帯体上に作るように構成された、変形手段が提供されることが有利である。
【００２３】
湾曲した伸張部から開始して帯体を変形させることは、帯体供給システムの効率を損なうことなく、更に従って帯体を配置する際の別の可能性のある欠陥原因を導入することなく、薄い帯体を使用して高品質な高級箱を製作することを可能にする。
【００２４】
変形手段は、例えば、引張り手段の一部分を形成するか又は引張り手段を構成する、一対の逆回転ローラを具備することが好ましい。これは、ユニットの構造を単純化し、機械に容易に取り付けられるコンパクトなユニットを提供し、変形及び供給段階を最適化する。
【００２５】
変形手段は、例えば環状体の溝に結合可能な突起、例えば環状体を具備することが好ましい。突起及び溝は、供給路において互いに相互貫通して、帯体上に折り目線を生成する。溝及び突起は、逆回転ローラの内の一方にそれぞれ形成されることが好ましい。
【００２６】
変形手段は、供給路の湾曲した伸張部に設置されることが好ましく、更に、帯体を一層より効率的に変形させ且つ引っ張るように、最初の伸張部と湾曲した伸張部との間の通過区域に配置されることが更により好ましい。
【００２７】
引っ張り手段は、一対の逆回転ローラを具備することが好ましい。２つのローラの内の少なくとも１つは、動力駆動されており、動力駆動ローラ（回転体）は、帯体に横方向の動きを与えることを防止するように、例えば、ローレット加工等の、任意の軸方向押さえ面を有さないことが好ましい。
【００２８】
引張り手段及び／又は変形手段の一部を形成する、逆回転ローラの少なくとも１つ、好適にはアイドル（遊動）ローラは、帯体供給路に対してケーシング自体の対向する側において巻出しユニットのケーシングにヒンジ止めされた、２つの腕部を具備する、フォーク（叉部）上で回転するように取り付けられることが好ましい。その様にして、ローラはバランスがとられ、ローラに適用される力は対称的であり、ユニットに対して可能性のある帯体の整列不良の最小の原因さえも排除する。
【００２９】
フォークは、フォークがケーシングに対して軸方向の遊びを有するように取り付けられることが好ましく、及び／又はフォークは、供給される帯体に対する調整を可能にしていて且つ単純化するために、フォークに取り付けられた、ローラの軸方向の位置を調整するための手段を具備することが好ましい。もう一方のローラ、例えば動力駆動ローラは、ケーシング上で回転するように取り付けられているので、従ってもう一方のローラは、フォークに取り付けられたローラの位置に適合させるために、ケーシング自体に対して軸方向の遊びを有することが好ましい。
【００３０】
逆回転ローラを帯体に接触させることを維持する、推力を適用するために、逆回転ローラの少なくとも１つに動作可能に関連する、弾性手段が設けられることが好ましい。例えば、弾性手段は、フォークとケーシングとの間に介在する。
【００３１】
供給路の最後の伸張部の少なくとも一部に沿って帯体を案内し更に箱の角縁部に垂直に面するように帯体の一部を配置するように構成された、送り出し案内手段が設けられることが好ましい。例えば、送り出し案内手段は、ケーシングの一部分と、供給路の最後の伸長部に沿って延びる、帯体の通過のための貫通隙間をケーシングの一部分とブロックの間に画定するような方法でケーシングに固定されたブロック（塊）と、を具備する。その様にして、送り出し案内手段は、ケーシングに堅固に接続されており、更に帯体を垂直方向に配置する際に、より高い精度を可能にする。更に、貫通隙間は従って、帯体が巻出しユニットを出る際に、帯体をより良好に案内するように、帯体の許容差及び幅に匹敵する、減少された公差及び幅を有することができる。
【００３２】
ケーシングの一部分及びブロックは、帯体の幅に対して少なくとも貫通隙間の中央の伸張部においてＶ字の形状を有する、貫通隙間を画定するように構成されることが好ましい。貫通隙間の頂点は、折り目線に位置することが好ましい。その様にして、帯体が巻出しユニットを出る際に帯体に沿って作られた、折り目は、側部案内部のおかげで、供給の精度に悪影響を及ぼすことなく、帯体を一層より安定させる。
【００３３】
供給路の最初の伸張部の少なくとも一部分に沿って帯体を案内するように構成された、送り込み案内手段であって、平坦な摺動面と、２つの側部格納壁と、少なくとも１つの長穴を有することが好ましいカバー板と、を具備する送り込み案内手段が設けられることが好ましく、送り込み案内手段は、供給路の最初の伸長部に沿って延びる、帯体のための貫通隙間を画定するような方法で配置される。貫通隙間は、帯体が巻出しユニットに入る際に帯体をより良好に案内するように、帯体の公差及び幅に匹敵する、減少された公差及び幅を有することが好ましい。従って、帯体が、変形手段に対して安定且つ正確に配置されることを保証することが可能である。平坦な摺動面は、帯体の改善された摺動性のために機械加工されることが好ましい。
【００３４】
別の形態によれば、上述の目的は、基部と基部に接続された複数の構成部分とを有する、紙又は厚紙空白紙から箱を形成するための四隅止機により達成される。この機械は、空白紙の構成部分を折り畳み更に箱の垂直な角縁部を画定するように構成部分の横方向の端部が並置された状態で、構成部分を直立して設定するように構成された、折り畳み手段を具備する。更に、垂直な角縁部に面するように所定の長さの帯体片を配置するように、複数の巻出しユニットが提供される。
【００３５】
この機械はまた、加熱可能であって且つそれぞれの角縁部に対して部品を押圧するように、箱に向かって及びそれから離れて移動可能である、対応するプレッサ（押圧機）を備える、複数の密封頭部を具備する。密封頭部は、帯体を切断するようにプレッサと共に一体に移動可能である、対応する刃を備えることが好ましい。
【００３６】
別の形態によれば、上記の目的は、箱の角縁部を画定するように並置された、箱形成空白紙の側部構成部分の縁部を密封するのに適した、熱密封材料の帯体を巻出す方法により達成される。この方法は、帯体を供給路に沿って且つ供給方向において引っ張る手順と、供給路の、最初の好適には水平方向の伸張部と湾曲した接続伸張部と最後の好適には垂直な伸張部との間において帯体を方向転換させる手順と、を具備する。帯体に沿って延びる伸張した折り目線は、帯体の供給方向において、供給動作に悪影響を与えることなく帯体を強化するために、湾曲した伸張部から開始して又は湾曲した伸張部の下流で帯体上に作られることが有利である。
【００３７】
折り目線は、２つの手順を最適化するために、帯体を供給する真のシステムにより、及びシステムの動作と同時に作られることが好ましい。
【００３８】
帯体は、折り目線の頂点を有する、Ｖ字形状に折り曲げられることが好ましく、帯体が垂直に配置されている間に、帯体を更に強化して且つ帯体を案内するために、帯体が供給路を離れる際に帯体を案内する。
【００３９】
帯体の幅に対する折り線の位置は、異なる動作条件及び異なる箱寸法に適合するように調整可能であることが好ましい。
【００４０】
折り目線が正確に配置されることを保証するために、帯体は、帯体が供給路に入る際に案内されることが好ましい。
【００４１】
別の形態によれば、上述の目的は、基部と、隣接する側部構成部分の縁部が箱の側壁の垂直な角縁部を画定するような方法で基部に対して折り畳み可能である、複数の側部構成部分と、を有する平坦な成形空白紙から厚紙箱を形成する方法により達成される。この形態によれば、本方法は、角縁部の各々に面するように所定の長さの帯体の一部分を垂直方向に配置する手順と、加熱して更に帯体部分を角縁部に対して熱密封してそれにより角縁部を閉じるために、各帯体部分を対応する角縁部に対して押圧する手順と、を具備する。
【００４２】
本開示のこれらの及び別の形態は、添付の図面を参照して、本開示の以下の好適な非限定的な実施の形態の詳細な説明から、より明らかになるであろう。
【図面の簡単な説明】
【００４３】
【図１】図１は、紙又は厚紙空白紙から箱を形成するための四隅止機の概略斜視図である。
【図２】図２は、図１の機械の巻出しユニットの概略斜視図である。
【図３】図３は、図２の巻出しユニットの縦断面図である。
【図４】図４は、別のものをより良好に図示するために幾つかの部分が取り除かれた状態で、部分的に分解された図であり、異なる角度からの図２の巻出しユニットを示す。
【図５】図５は、異なる角度からの及び分解図における図２の巻出しユニットを示す。
【図６】図６は、異なる角度からの図２の巻出しユニットの詳細を示す。
【図７】図７は、図２の巻出しユニットの詳細を部分断面で示す。
【図８】図８は、異なる角度からの図２の巻出しユニットの詳細を示す。
【図９】図９は、図１の機械から得ることが出来る部分的に形成された箱を示す、斜視図である。
【発明を実施するための形態】
【００４４】
図１の参照番号１は、基部２０２と複数の構成部分２０４とを有する、紙又は厚紙空白紙（ブランク）２００から箱１００を形成するための四隅止機を示す。
【００４５】
図９は、空白紙２００から形成される箱を概略的に示す。構成部分２０４は、脆弱線２０６により基部２０２に接続されており、基部に対して構成部分２０４を折り畳むことをより容易にする。より具体的には、空白紙２００の構成部分２０４は、基部２０２に対して９０度で折り曲げ可能であり、更に並置される構成部分２０４の側縁部が垂直に配置されて、箱１００の側壁１０４の垂直な角縁部１０２を区画する。この折り畳み作業は、折り畳み手段１２により機械１上において実施される。
【００４６】
密封すべき箱の各垂直な縁部１０２において、頂部から下方に吊るされた熱密封材料の帯体「Ｓ」の部品３００が設置される。部品３００は、密封されるべき角縁部と実質的に同じ高さであり、機械１により適用される。更に、帯体「Ｓ」は、その厚さ「ＳＰ」が箱の美的外観に悪影響を与えないように特に薄くされた、材料の帯体である。
【００４７】
各部品３００は、巻出しユニット４００により供給され、従って機械１は、複数の巻出しユニット４００を具備する。
【００４８】
各巻出しユニットの下に、機械１は、密封頭部を具備しており、従って機械１は、複数の密封頭部を具備する。各密封頭部は、加熱可能であって且つそれぞれの角縁部１０２に対して部品３００を押圧するように箱１００に向かって及び離れて移動可能である、プレッサ（押圧機）を具備する。各密封頭部は、帯体をそれぞれの部品に切断するようにプレッサと一緒に移動可能である、対応する刃を更に具備してもよい。
【００４９】
各巻出しユニット４００は、例えば、熱密封材料の帯体「Ｓ」を、図示されない熱密封材料のロール（巻き体）から巻き出すように構成される。各巻出しユニット４００は、帯体「Ｓ」を供給路「Ｐ」に沿って供給し、帯体「Ｓ」の所定の長さの部分を垂直に配置し、従って帯体「Ｓ」は、箱の角縁部１０２に面する。部品３００は、帯体のこの部分から切断される。
【００５０】
より具体的には、帯体「Ｓ」の所定の長さの部分は、自由であり、即ち、所定の長さの部分は、機械的部分により多少なりとも拘束又は案内されないことが留意されるべきである。
【００５１】
帯体の自由な非拘束部分の長さは、箱の高さ、即ち使用される箱の寸法に依存することにもまた留意されるべきである。巻出しユニット４００は、図２及び以下を参照して以下に説明される。
【００５２】
巻出しユニット４００は、機械１に取り付けられるように適合された、ケーシング４０１を具備する。ケーシング４０１に動作可能に関連していて、供給路「Ｐ」に沿って及び供給方向「Ｖ」において、ケーシング４０１に対して帯体「Ｓ」を引っ張るように形成される、引張り手段４０２が存在する。
【００５３】
一実施の形態において、引張り手段４０２は、供給路「Ｐ」に対して横に、ローラ４０３、４０４の回転軸線が取り付けられていて且つ帯体「Ｓ」の主対向面に引張り作用を適用するような方法で、それぞれ、供給路「Ｐ」の対向する側に取り付けられる、一対の逆回転ローラ（回転体）４０３、４０４を具備する。言い換えれば、逆回転ローラは、帯体「Ｓ」の主対向面がローラに接触する状態で、帯体「Ｓ」が逆回転ローラの間に挿入されるような方法で互いに協働する。言い換えれば、逆回転ローラは、引張り手段の一部を形成する。
【００５４】
２つのローラの内の１つは、ローラが動力駆動ローラ４０４を構成するように回転駆動される、モータ手段４０５に動作可能に関連することが好ましい。動力駆動ローラ４０４は、帯体に横方向の動きを与えることを防止するように、例えばローレット加工等の任意の軸方向の押さえ面を有さないことが好ましい。２つのローラの内のもう一方は、受動的に回転駆動され、即ち、もう一方は、アイドル（遊動）ローラ４０３を構成することが好ましい。
【００５５】
例えば、動力駆動ローラ４０４は、ローラ４０４が動きを受容するように動作可能に接続する、ベルト４０５ａにより回転駆動される。より具体的には、ベルト４０５ａは、プーリー４０６ａ、４０６ｂの内の少なくとも１つがモータ手段４０５に接続する、一対のプーリー４０６ａ、４０６ｂに動作可能に関連することが留意されるべきである。巻出しユニット４００は、供給路「Ｐ」の最初の好適には水平な伸張部「Ｐ１」と供給路の最後の実質的に垂直な伸張部「Ｐ２」との間において帯体「Ｓ」を方向転換させるように構成された、方向転換手段４０７を具備する。湾曲した接続伸張部「Ｐ３」は、従って、最初の伸張部「Ｐ１」と最後の伸張部「Ｐ２」との間に画定される。
【００５６】
方向転換手段４０７は、帯体「Ｓ」の側部を配向するための一対の側部案内板４０８と、帯体「Ｓ」が前方に摺動する際に、帯体「Ｓ」を支持する、平坦な支持及び摺動面４０９と、を具備する（図４）。方向転換手段４０７は、熱密封帯体「Ｓ」を、最初の伸張部「Ｐ１」に沿って水平に、即ち、箱１００の基部２０２に平行に且つ最後の伸長部「Ｐ２」に沿って垂直に案内するように構成されることが留意されるべきである。より詳細には、方向転換手段４０７は、帯体の供給方向を水平から垂直に変えるように適切に形成された、接続部分４１０を有することが留意されるべきである。
【００５７】
帯体「Ｓ」は、方向転換手段４０７を垂直に出ることが留意されるべきである。
【００５８】
帯体「Ｓ」のための平坦な支持及び摺動面４０９は、接続部分４１０において開口部４１１を有する。平坦な支持及び摺動面４０９の開口部４１１を介して、引張り手段４０２（即ち、２つのローラ４０３及び４０４）は、帯体「Ｓ」の２つの対向する面において動作することが留意されるべきである。
【００５９】
接続部分４１０はまた、帯体「Ｓ」の上面のための一対の案内要素４１２を有し、帯体「Ｓ」を供給路「Ｐ」の湾曲した伸張部「Ｐ３」に沿って配向させ且つ案内することを可能にするように成形される。
【００６０】
巻出しユニット４００は、ケーシング４０１に動作可能に関連する変形手段４１３であって、帯体「Ｓ」の供給方向「Ｖ」において、湾曲した伸張部「Ｐ３」から開始して又は湾曲した伸張部「Ｐ３」の下流で帯体自体に沿って延びる、伸張された折り目線４１４を帯体「Ｓ」上に作るように構成される、変形手段４１３を具備する。換言すれば、変形手段４１３は、帯体「Ｓ」の対向する面に作用して、帯体「Ｓ」に沿って折り目線４１４を長く生成するような方法で、その厚み「ＳＰ」の方向において帯体を変形させる。この変形は、より大きな剛性を、帯体「Ｓ」に与えて、帯体「Ｓ」が機械的拘束から自由に垂直に吊り下がる時に、不恰好になることを防止し更に帯体「Ｓ」を安定した位置に保持する。これは、帯体の自由な部分が角縁部１０２に対して位置から外れて移動すること防止しており、即ち、熱密封操作中におけるその揺動及び問題の発生を防止する。
【００６１】
変形手段４１３は、帯体「Ｓ」をその中心線に沿って変形させるように構成され、それにより、帯体「Ｓ」を長手方向において２つの等しい部分に分割することが好ましい。引張り手段４０２が一対の逆回転ローラ４０３、４０４を具備する場合において、変形手段４１３は、この一対の逆回転ローラを具備してもよいことが有利である。
【００６２】
例えば、対の２つのローラの内の一方は、ローラ自体と同軸である、環状の突起４１５を有し、更に一対の逆回転ローラのもう一方のローラは、ローラ自体と同軸である、環状の溝４１６を有しており（図７）、図示の例において、アイドルローラ４０３が、環状突起４１５を有し、動力駆動ローラ４０４が、環状溝４１６を有する。
【００６３】
環状突起４１５及び環状溝４１６は、供給路「Ｐ」において相互貫通して、帯体上に折り目線４１４を生成する。帯体「Ｓ」が、環状突起４１５と環状溝４１６との間において−搾ることにより−変形されることが留意されるべきである。
【００６４】
帯体「Ｓ」と接触する、環状突起４１５の縁部は、半径方向に実質的に丸みを帯びており、搾りによるその変形の間において帯体を引き裂かないような方法で形成されることもまた留意されるべきである。
【００６５】
一対の逆回転ローラ４０３、４０４は、供給路「Ｐ」の湾曲した伸張部「Ｐ３」において、好適には、最初の伸張部「Ｐ１」と湾曲した伸張部「Ｐ３」との間の通過区域に設置されることが好ましい。
【００６６】
その非限定的な例が図示される、可能な実施の形態によれば、一対の逆回転ローラの内の１つのローラ、好適にはアイドルローラ４０３は、ホルダ（保持部）上で回転するように取り付けられる。
【００６７】
一実施の形態において、ホルダは、少なくとも１つの腕部４１８を具備する。一実施の形態において、少なくとも１つの腕部４１８は、ケーシング４０１にヒンジ（丁番）止めされてもよい。
【００６８】
一実施の形態において、ホルダは、２つの腕部４１８を具備する、フォーク（叉部）４１７を具備する。これらの２つの腕部は、帯体「Ｓ」の供給路「Ｐ」に対してケーシング自体の対向する側において巻出しユニットのケーシング４０１にヒンジ止めされてもよい。
【００６９】
一実施の形態において、ホルダは、ホルダがケーシング４０１に対して軸方向の遊びを有するように取り付けられる。
【００７０】
一実施の形態において、少なくとも１つの腕部４１８は、腕部がケーシング４０１に対して軸方向の遊びを有するように取り付けられる。
【００７１】
フォーク４１７は、フォーク４１７がケーシング４０１に対して軸方向の遊びを有するように取り付けられることが好ましい。
【００７２】
一実施の形態において、ホルダは、ホルダの上に取り付けられたローラの軸方向位置を調整するための調整構造を具備する。「軸方向」は、ローラの（回転の）軸線に沿った方向を意味する。
【００７３】
一実施の形態において、逆回転ローラの各々は、その軸方向位置において調整されてもよい。
【００７４】
一実施の形態において、逆回転ローラの一方又は両方は、第１の端部位置と、第１の端部位置から軸方向に変位した第２の端部位置との間で軸方向に遊ぶように可動であってもよい。
【００７５】
一実施の形態において、フォーク４１７は、フォーク４１７の上に取り付けられたローラの軸方向位置を調整するための手段４１９を具備する（図７）。例えば、図７に示されるように、フォーク４１７は、それぞれのローラ、特にはアイドルローラ４０３の回転軸線を画定する、ピン４２０を具備する。ピン４２０は、雄ねじを切られており、更に、フォーク４１７に対するピン４２０の軸方向位置を調整するのに適する、締め付け手段、例えばナット４２１に関連する。
【００７６】
もう一方のローラ、例えば動力駆動ローラ４０４は、ケーシング４０１上で回転するように取り付けられるので、従って動力駆動ローラ４０４は、アイドルローラ４０３の位置に適合させるために、ケーシング自体に対して軸方向の遊びを有することが好ましい。例えば、動力駆動ローラ４０４は、動力駆動ローラ４０４を回転駆動する、シャフト（軸）４２２に取り付けられており、更にシャフト４２２に沿った軸方向の遊びを有する（図５）。一旦調整されると、動力駆動ローラは、アイドルローラとの結合及びベルト４０５ａとの結合の効果により安定状態を維持する。
【００７７】
逆回転ローラを帯体「Ｓ」と接触させ続ける、推力を適用するために、少なくとも１つの逆回転ローラと動作可能に関連する、弾性手段４２３が設けられることが好ましい。例えば、弾性手段４２３は、アイドルローラ４０３に動作可能に関連する。図示された例において、弾性手段４２３は、アイドルローラ４０３が帯体「Ｓ」の上面に推力を適用させるように、フォーク４１７とケーシング４０１との間に設置される（図５）。
【００７８】
供給路「Ｐ」の最後の伸張部「Ｐ２」の少なくとも一部分に沿って帯体「Ｓ」を案内し更に帯体の一部分を箱１００の角縁部１０２に垂直に面するように配置するように構成される、送り出し案内手段４２４が、設けられることが好ましい。
【００７９】
例示的な実施の形態において、送り出し案内手段４２４は、供給路「Ｐ」の最後の伸張部「Ｐ２」に沿って伸張する、帯体「Ｓ」の通過のための貫通隙間４２７をケーシング４０１の一部分４２５とブロック４２６の間に画定するような方法で、ケーシング４０１の一部分４２５と、ケーシングに固定された、ブロック（塊）４２６と、を具備する。ケーシング４０１の一部分４２５及びブロック４２６は、帯体「Ｓ」の幅に対して、少なくとも貫通隙間４２７の中間伸張部においてＶ字の形状を有する、貫通隙間４２７を画定するように構成されることが好ましい（図６）。
【００８０】
供給路「Ｐ」の最初の伸張部「Ｐ１」の少なくとも一部分に沿って帯体「Ｓ」を案内するように構成された、送り込み案内手段４２８が提供されることが好ましい。例えば、送り込み案内手段４２８は、平坦な摺動面４２９と、２つの側部格納壁４３０と、カバー板４３１と、を具備しており、摺動面４２９と側部格納壁４３０とカバー板４３１とは、供給路「Ｐ」の最初の伸張部「Ｓ」に沿って伸張する、帯体「Ｓ」のための貫通隙間４３２を画定するような方法で配置される。カバー板４３１は、少なくとも１つの長穴４３３を有することが好ましい（図５及び図８）。
【００８１】
特には箱１００の１つの角縁部１０２に関して、巻出しユニット及び機械の動作が、以下に説明される。
【００８２】
帯体「Ｓ」は、ローラ４０３、４０４により引っ張られ、供給路「Ｐ」に沿って供給される。より具体的には、帯体「Ｓ」は、連続する材料のロールから巻き出される。
【００８３】
帯体「Ｓ」を引っ張る２つの逆回転ローラもまた、逆回転ローラが帯体「Ｓ」を引っ張る際に、帯体「Ｓ」を変形させることが留意されるべきである。
【００８４】
より具体的には、帯体「Ｓ」の変形は、帯体自体の厚み「ＳＰ」の方向に存在する。実際には、帯体「Ｓ」が引っ張られると、帯体「Ｓ」の一部が環状突起４１５と環状溝４１６との間において搾られる。
【００８５】
変形は連続的であることが好ましい（即ち、折り目線４１４は全て、絶え間なく帯体「Ｓ」に沿って作られる）。
【００８６】
帯体「Ｓ」の変形部分は、所定の長さ（使用されている箱寸法に依存する）に関して、巻出しユニット４００の下で下方に突出することが留意されるべきである。
【００８７】
帯体のこの部分は、拘束がなく、角縁部１０２と密封頭部との間に挿入される。
【００８８】
帯体が湾曲した伸張部において又は伸張部の下流で変形されるという事実は、引っ張り作用に悪影響を与えることなく、帯体の自由部分の望ましくない揺れ又は曲がりを防止することを可能にすることが有利であり、更に従って帯体が箱１００の角縁部１０２に対して所定の位置に保持されることを可能にする。
【００８９】
この形態は、その真に本質的には、もし垂直方向に拘束されないで状態であるならば、曲がるか又は丸くなる傾向がある、厚みの薄くなった帯体において特に重要である。
【００９０】
従って、この構成において、密封頭部は、帯体「Ｓ」の一部分を隣接する側部構成部分に正確に熱密封する。帯体「Ｓ」の一部分は、部品３００を形成するように、記載されない慣例的な方法で切り離されることが留意されるべきである。部品３００は、構成部分２０４を一緒に保持し、角縁部１０２を密封する。
【００９１】
帯体「Ｓ」が薄いという事実は、角縁部１０２において魅力的でない窪みが形成されることを防止し、更に折り目線のおかげで、特に背の高い箱を形成することが可能となるので、従って箱寸法の観点における高度な柔軟性を保証することを可能にする。
【００９２】
上記のように帯体を変形させるという事実と組み合わされた、材料の特に薄い帯体を使用することは、（帯体が非常に薄いために）熱密封帯体が見えず且つ同時に、帯体を箱の角端部に正確に適用することが保証される、高品質の高級箱を作ることを可能にするので有利であることが留意されるべきである。
【００９３】
箱の角縁部を画定するように並置された、箱形成空白紙の側部構成部分の縁部を密封するのに適した熱密封材料の帯体「Ｓ」を巻出す方法もまた、規定される。この方法は、帯体が供給される、システムと干渉することなく、帯体をより強くする。
【００９４】
この方法は、帯体「Ｓ」を供給路「Ｐ」に沿って且つ供給方向「Ｖ」において引っ張る手順と、供給路の最初の好適には水平な伸張部「Ｐ１」と、最後の好適には垂直な伸張部との間において（帯体「Ｓ」）を方向転換する手順と、最初の伸張部「Ｐ１」と最後の伸張部との間において湾曲した接続伸張部「Ｐ３」を画定する手順と、を具備する。
【００９５】
この方法はまた、帯体「Ｓ」の供給方向「Ｖ」において、湾曲した伸張部「Ｐ３」から開始して又は湾曲した伸張部「Ｐ３」の下流で帯体自体に沿って延びる、伸張した折り目線４１４を帯体「Ｓ」上に作る手順を具備する。
【００９６】
折り目線４１４は、帯体「Ｓ」を供給する真のシステムにより、及びシステムの動作と同時に作られる。
【００９７】
この方法はまた、帯体「Ｓ」を折り目線４１４内の頂点を有するＶ字形状に折り曲げて更に帯体「Ｓ」が供給路「Ｐ」を離れる際に帯体「Ｓ」を案内する手順を具備してもよい。一実施の形態において、折り目線４１４は、帯体「Ｓ」の幅に対して中心に配置される。
【００９８】
帯体「Ｓ」の幅に対する折り目線４１４の位置は、調整可能であることが好ましい。帯体「Ｓ」は、供給路「Ｐ」に入る際に案内されることが好ましい。
【００９９】
基部と、隣接する側部構成部分の縁部が箱の側壁の垂直な角縁部を画定するような方法で基部に対して折り畳み可能である複数の側部構成部分と、を有する、平坦な成形空白紙から厚紙箱を形成する方法もまた、本説明に従って規定される。
【０１００】
帯体「Ｓ」は、箱の角縁部の各々に対面するように、所定の長さの帯体「Ｓ」の一部分を垂直に配置するために、上述の巻出し方法に従って巻き出される。
【０１０１】
帯体の各部分は、帯体を角縁部自体に対して熱密封するために、加熱され、対応する角縁部に対して押圧され、更にそれにより角縁部自体を閉じる。
【図１】
2017140831.tif 000003
【図２】
2017140831.tif 000004
【図３】
2017140831.tif 000005
【図４】
2017140831.tif 000006
【図５】
2017140831.tif 000007
【図６】
2017140831.tif 000008
【図７】
2017140831.tif 000009
【図８】
2017140831.tif 000010
【図９】
2017140831.tif 000011
【外国語明細書】
2017140831000001.pdf